(57)【要約】【課題】シングルチューナ搭載型の録画装置において、同時に放送されている複数の番組コンテンツのうち、一のチャンネルの番組コンテンツを録画するとともに、他のチャンネルの番組コンテンツを一時的に視聴する際に適したものとする。【解決手段】テレビジョン放送信号に基づく番組コンテンツを記憶媒体１４に録画させるとともに、テレビジョン受像機３に出力できる録画装置１において、記憶媒体１４への番組コンテンツの録画中に、受信されるテレビジョン放送信号のチャンネルが元チャンネルから他のチャンネルに切り替わると、記憶媒体１４への番組コンテンツの録画を中断し、その後、当該他のチャンネルに切り替わった時点からの経過時間が予め設定された復帰時間に達すると、受信されるテレビジョン放送信号のチャンネルを当該他のチャンネルから当該元チャンネルに復帰させて、記憶媒体１４への番組コンテンツの録画を再開するよう構成した。【選択図】図１
2008311835.tif 000002
【特許請求の範囲】
【請求項１】
テレビジョン放送信号を受信する１つの受信手段を備え、当該受信手段により受信されたテレビジョン放送信号に基づく番組コンテンツを所定の記憶媒体に録画させるとともに、当該受信手段により受信されたテレビジョン放送信号に基づく番組コンテンツを所定の表示装置に表示させる録画装置において、
前記所定の記憶媒体への番組コンテンツの録画中に、前記受信手段により受信されるテレビジョン放送信号のチャンネルが元チャンネルから他のチャンネルに切り替わると、当該所定の記憶媒体への番組コンテンツの録画を中断し、その後、当該他のチャンネルに切り替わった時点からの経過時間が予め設定された復帰時間に達すると、前記受信手段により受信されるテレビジョン放送信号のチャンネルを当該他のチャンネルから当該元チャンネルに復帰させて、当該所定の記憶媒体への番組コンテンツの録画を再開する自動復帰手段を備えることを特徴とする録画装置。
【請求項２】
請求項１に記載の録画装置において、
ユーザが、一のチャンネルを選局するための選局手段と、
前記選局手段により選局されたチャンネルに対応するテレビジョン放送信号を前記受信手段に受信させる受信制御手段と、
前記受信手段により受信されたテレビジョン放送信号に基づく番組コンテンツを、前記所定の記憶媒体に録画させる録画制御手段と、
前記受信手段により受信されたテレビジョン放送信号に基づく番組コンテンツを、前記所定の表示装置に表示させる表示制御手段と、
所定のタイミングで、前記受信手段により受信されているテレビジョン放送信号のチャンネルに関する情報を元チャンネル情報として記憶手段に記憶させる記憶制御手段と、
前記受信手段により受信されるテレビジョン放送信号のチャンネルが前記記憶手段に記憶されている元チャンネル情報に基づく元チャンネルから他のチャンネルに切り替わった時点からの経過時間が、予め設定された復帰時間に達したか否かを判定する判定手段と、を備え、
前記受信制御手段は、前記判定手段によって、前記経過時間が、前記復帰時間に達したと判定された場合に、前記記憶手段に記憶されている元チャンネル情報に基づく元チャンネルに対応するテレビジョン放送信号を前記受信手段に受信させ、
前記録画制御手段は、前記受信手段により受信されるテレビジョン放送信号のチャンネルが、前記記憶手段に記憶されている元チャンネル情報に基づく元チャンネルから他のチャンネルに切り替わってから、当該他のチャンネルから当該元チャンネルに復帰するまでの間、前記受信手段により受信されたテレビジョン放送信号に基づく番組コンテンツの前記所定の記憶媒体への録画を中断することを特徴とする録画装置。
【請求項３】
請求項２に記載の録画装置において、
ユーザが、録画予約番組コンテンツを指定するための指定手段を備え、
前記受信制御手段は、前記指定手段により指定された録画予約番組コンテンツの放送開始時間になった場合に、当該録画予約番組コンテンツのチャンネルに対応するテレビジョン放送信号を前記受信手段に受信させ、
前記録画制御手段は、前記受信手段により受信されたテレビジョン放送信号に基づく録画予約番組コンテンツを、前記所定の記憶媒体に録画させ、
前記記憶制御手段は、前記タイミングとして、前記受信手段により前記録画予約番組コンテンツのチャンネルに対応するテレビジョン放送信号が受信されるタイミングで、前記元チャンネル情報を前記記憶手段に記憶させることを特徴とする録画装置。
【請求項４】
請求項２又は３に記載の録画装置において、
ユーザが、前記タイミングを指示するための指示手段を備え、
前記記憶制御手段は、前記タイミングとして、前記指示手段により指示されたタイミングで、前記元チャンネル情報を前記記憶手段に記憶させることを特徴とする録画装置。
【請求項５】
請求項２〜４の何れか一項に記載の録画装置において、
所定の第２タイミングで、前記記憶手段に記憶されている元チャンネル情報を消去する消去手段を備えることを特徴とする録画装置。
【請求項６】
請求項５に記載の録画装置において、
前記消去手段は、前記第２タイミングとして、前記録画制御手段による、前記記憶手段に記憶されている元チャンネル情報に基づく元チャンネルで放送されている番組コンテンツの前記所定の記憶媒体への録画が終了するタイミングで、当該記憶手段に記憶されている元チャンネル情報を消去することを特徴とする録画装置。
【請求項７】
請求項２〜６の何れか一項に記載の録画装置において、
前記所定の記憶媒体に記憶されている番組コンテンツについての録画された時間と録画が中断された時間とに関する時間情報を含む録画状況情報を、前記所定の表示装置に表示させる第２表示制御手段を備えることを特徴とする録画装置。
【請求項８】
テレビジョン放送信号を受信する１つの受信手段を備え、当該受信手段により受信されたテレビジョン放送信号に基づく番組コンテンツを所定の記憶媒体に録画させるとともに、当該受信手段により受信されたテレビジョン放送信号に基づく番組コンテンツを所定の表示装置に表示させる録画装置において、
ユーザが、一のチャンネルを選局するための選局手段と、
前記選局手段により選局されたチャンネルに対応するテレビジョン放送信号を前記受信手段に受信させる受信制御手段と、
前記受信手段により受信されたテレビジョン放送信号に基づく番組コンテンツを、前記所定の記憶媒体へ録画させる録画制御手段と、
前記受信手段により受信されたテレビジョン放送信号に基づく番組コンテンツを、前記所定の表示装置に表示させる表示制御手段と、
所定の第１タイミングで、前記受信手段により受信されているテレビジョン放送信号のチャンネルに関する情報を元チャンネル情報として記憶手段に記憶させる記憶制御手段と、
所定の第２タイミングで、前記記憶手段に記憶されている元チャンネル情報を消去する消去手段と、
前記受信手段により受信されるテレビジョン放送信号のチャンネルが前記記憶手段に記憶されている元チャンネル情報に基づく元チャンネルから他のチャンネルに切り替わった時点からの経過時間が、予め設定された復帰時間に達したか否かを判定する判定手段と、
ユーザが、録画予約番組コンテンツを指定するための指定手段と、
ユーザが、前記第１タイミングを指示するための指示手段と、を備え、
前記受信制御手段は、前記指定手段により指定された録画予約番組コンテンツの放送開始時間になった場合に、当該録画予約番組コンテンツのチャンネルに対応するテレビジョン放送信号を前記受信手段に受信させ、
前記録画制御手段は、前記受信手段により受信されたテレビジョン放送信号に基づく録画予約番組コンテンツを、前記所定の記憶媒体に録画させ、
前記記憶制御手段は、前記第１タイミングとして、前記受信手段により前記録画予約番組コンテンツのチャンネルに対応するテレビジョン放送信号が受信されるタイミング、又は、前記指示手段により指示されたタイミングで、前記元チャンネル情報を前記記憶手段に記憶させ、
前記受信制御手段は、前記判定手段によって、前記経過時間が、前記復帰時間に達したと判定された場合に、前記記憶手段に記憶されている元チャンネル情報に基づく元チャンネルに対応するテレビジョン放送信号を前記受信手段に受信させ、
前記録画制御手段は、前記受信手段により受信されるテレビジョン放送信号のチャンネルが、前記記憶手段に記憶されている元チャンネル情報に基づく元チャンネルから他のチャンネルに切り替わってから、当該他のチャンネルから当該元チャンネルに復帰するまでの間、前記受信手段により受信されたテレビジョン放送信号に基づく番組コンテンツの前記所定の記憶媒体への録画を中断し、
前記消去手段は、前記第２タイミングとして、前記録画制御手段による、前記記憶手段に記憶されている元チャンネル情報に基づく元チャンネルで放送されている番組コンテンツの前記所定の記憶媒体への録画が終了するタイミングで、当該記憶手段に記憶されている元チャンネル情報を消去することを特徴とする録画装置。
【発明の詳細な説明】
【技術分野】
【０００１】
本発明は、録画装置に関する。
【背景技術】
【０００２】
テレビジョン放送信号に基づく番組コンテンツを視聴する際、視聴者は、同時に放送されている複数の番組コンテンツを視聴したり録画したい場合がある。
【０００３】
そこで、例えば、ダブルチューナ搭載型の録画装置において、一のチャンネル（元チャンネル）の番組コンテンツを視聴している視聴者が、他のチャンネルの番組コンテンツを一時的に使用する際、他のチャンネルの番組コンテンツを視聴する間にその元チャンネルで放送されている番組コンテンツを録画できる録画装置が提案されている（例えば、特許文献１参照）。
【０００４】
また、例えば、シングルチューナ搭載型の録画装置において、複数のチャンネルで放送されている番組コンテンツを同時に録画できる録画装置が提案されている（例えば、特許文献２参照）。
【０００５】
また、例えば、シングルチューナ搭載型のデジタル放送受信機において、元チャンネルから移動した他のチャンネルの視聴時間を計測して、一定時間を計測した後に他のチャンネルから元チャンネルに復帰させたり、視聴中の元チャンネルにコマーシャルが放送されたことを検出したときに、コマーシャルが放送されていない他のチャンネルへ切り替えて、その後、元チャンネルにコマーシャルが放送されていないことを検出したときに、他のチャンネルから元チャンネルに復帰させたりできるデジタル放送受信機が提案されている（例えば、特許文献３参照）。
【０００６】
ところで、録画装置は、受信したテレビジョン放送信号に基づく番組コンテンツをＨＤＤ（Hard Disk Drive）やＤＶＤ（digital versatile disc）などの記憶媒体に録画するために使用されるだけでなく、例えば、受信したテレビジョン放送信号に基づく番組コンテンツを当該録画装置に接続された表示装置に表示するために使用される場合がある。
【特許文献１】特開２００２−１５２６５２号公報
【特許文献２】特開２００１−２４５２２６号公報
【特許文献３】特開２００３−８７６６７号公報
【発明の開示】
【発明が解決しようとする課題】
【０００７】
しかしながら、録画装置を番組コンテンツの録画のために使用するだけでなく番組コンテンツの視聴のためにも使用する場合、シングルチューナ搭載型の録画装置だと、例えば、一のチャンネルの番組コンテンツの録画中に、他のチャンネルの番組コンテンツを一時的に視聴することができないという問題があり、また、例えば、他のチャンネルの番組コンテンツを一時的に視聴したいがために、一のチャンネルの番組コンテンツの録画を中断すると、視聴者が、元チャンネル（一のチャンネル）に戻るのを忘れてしまって、元チャンネルの番組コンテンツを録画し損ねてしまう場合があるという問題がある。
【０００８】
例えば、特許文献１のように、ダブルチューナ搭載型の録画装置であれば、上記の問題は解決できるが、ダブルチューナを搭載しなければならないため高価であるという問題がある。
【０００９】
また、特許文献２のように、複数の番組コンテンツを同時に録画できるシングルチューナ搭載型の録画装置であれば、安価であり、且つ、録画したい元チャンネルの番組コンテンツも一時的に視聴したい他のチャンネルの番組コンテンツも録画することはできるが、例えば、他のチャンネルの番組コンテンツについては、録画するほどではなく、一時的に視聴したいだけである場合には適していない。
【００１０】
また、特許文献３のテレビジョン受像機を応用した録画装置、すなわち、元チャンネルの録画中に他のチャンネルに切り替わった際、当該他のチャンネルの録画時間を計測して、一定時間を計測した後に他のチャンネルから元チャンネルに復帰させて、元チャンネルの録画を再開できるシングルチューナ搭載型の録画装置であれば、安価であり、且つ、録画したい元チャンネルの番組コンテンツも一時的に視聴したい他のチャンネルの番組コンテンツも録画することはできるが、例えば、他のチャンネルの番組コンテンツについては、録画するほどではなく、一時的に視聴したいだけである場合には適していない。
【００１１】
本発明の課題は、シングルチューナ搭載型の録画装置において、同時に放送されている複数の番組コンテンツのうち、一のチャンネルの番組コンテンツを録画するとともに、他のチャンネルの番組コンテンツを一時的に視聴する際に適したものとすることにある。
【課題を解決するための手段】
【００１２】
上記課題を解決するために、請求項１に記載の発明は、
テレビジョン放送信号を受信する１つの受信手段を備え、当該受信手段により受信されたテレビジョン放送信号に基づく番組コンテンツを所定の記憶媒体に録画させるとともに、当該受信手段により受信されたテレビジョン放送信号に基づく番組コンテンツを所定の表示装置に表示させる録画装置において、
前記所定の記憶媒体への番組コンテンツの録画中に、前記受信手段により受信されるテレビジョン放送信号のチャンネルが元チャンネルから他のチャンネルに切り替わると、当該所定の記憶媒体への番組コンテンツの録画を中断し、その後、当該他のチャンネルに切り替わった時点からの経過時間が予め設定された復帰時間に達すると、前記受信手段により受信されるテレビジョン放送信号のチャンネルを当該他のチャンネルから当該元チャンネルに復帰させて、当該所定の記憶媒体への番組コンテンツの録画を再開する自動復帰手段を備えることを特徴とする。
【００１３】
請求項２に記載の発明は、
請求項１に記載の録画装置において、
ユーザが、一のチャンネルを選局するための選局手段と、
前記選局手段により選局されたチャンネルに対応するテレビジョン放送信号を前記受信手段に受信させる受信制御手段と、
前記受信手段により受信されたテレビジョン放送信号に基づく番組コンテンツを、前記所定の記憶媒体に録画させる録画制御手段と、
前記受信手段により受信されたテレビジョン放送信号に基づく番組コンテンツを、前記所定の表示装置に表示させる表示制御手段と、
所定のタイミングで、前記受信手段により受信されているテレビジョン放送信号のチャンネルに関する情報を元チャンネル情報として記憶手段に記憶させる記憶制御手段と、
前記受信手段により受信されるテレビジョン放送信号のチャンネルが前記記憶手段に記憶されている元チャンネル情報に基づく元チャンネルから他のチャンネルに切り替わった時点からの経過時間が、予め設定された復帰時間に達したか否かを判定する判定手段と、を備え、
前記受信制御手段は、前記判定手段によって、前記経過時間が、前記復帰時間に達したと判定された場合に、前記記憶手段に記憶されている元チャンネル情報に基づく元チャンネルに対応するテレビジョン放送信号を前記受信手段に受信させ、
前記録画制御手段は、前記受信手段により受信されるテレビジョン放送信号のチャンネルが、前記記憶手段に記憶されている元チャンネル情報に基づく元チャンネルから他のチャンネルに切り替わってから、当該他のチャンネルから当該元チャンネルに復帰するまでの間、前記受信手段により受信されたテレビジョン放送信号に基づく番組コンテンツの前記所定の記憶媒体への録画を中断することを特徴とする。
【００１４】
請求項３に記載の発明は、
請求項２に記載の録画装置において、
ユーザが、録画予約番組コンテンツを指定するための指定手段を備え、
前記受信制御手段は、前記指定手段により指定された録画予約番組コンテンツの放送開始時間になった場合に、当該録画予約番組コンテンツのチャンネルに対応するテレビジョン放送信号を前記受信手段に受信させ、
前記録画制御手段は、前記受信手段により受信されたテレビジョン放送信号に基づく録画予約番組コンテンツを、前記所定の記憶媒体に録画させ、
前記記憶制御手段は、前記タイミングとして、前記受信手段により前記録画予約番組コンテンツのチャンネルに対応するテレビジョン放送信号が受信されるタイミングで、前記元チャンネル情報を前記記憶手段に記憶させることを特徴とする。
【００１５】
請求項４に記載の発明は、
請求項２又は３に記載の録画装置において、
ユーザが、前記タイミングを指示するための指示手段を備え、
前記記憶制御手段は、前記タイミングとして、前記指示手段により指示されたタイミングで、前記元チャンネル情報を前記記憶手段に記憶させることを特徴とする。
【００１６】
請求項５に記載の発明は、
請求項２〜４の何れか一項に記載の録画装置において、
所定の第２タイミングで、前記記憶手段に記憶されている元チャンネル情報を消去する消去手段を備えることを特徴とする。
【００１７】
請求項６に記載の発明は、
請求項５に記載の録画装置において、
前記消去手段は、前記第２タイミングとして、前記録画制御手段による、前記記憶手段に記憶されている元チャンネル情報に基づく元チャンネルで放送されている番組コンテンツの前記所定の記憶媒体への録画が終了するタイミングで、当該記憶手段に記憶されている元チャンネル情報を消去することを特徴とする。
【００１８】
請求項７に記載の発明は、
請求項２〜６の何れか一項に記載の録画装置において、
前記所定の記憶媒体に記憶されている番組コンテンツについての録画された時間と録画が中断された時間とに関する時間情報を含む録画状況情報を、前記所定の表示装置に表示させる第２表示制御手段を備えることを特徴とする。
【００１９】
請求項８に記載の発明は、
テレビジョン放送信号を受信する１つの受信手段を備え、当該受信手段により受信されたテレビジョン放送信号に基づく番組コンテンツを所定の記憶媒体に録画させるとともに、当該受信手段により受信されたテレビジョン放送信号に基づく番組コンテンツを所定の表示装置に表示させる録画装置において、
ユーザが、一のチャンネルを選局するための選局手段と、
前記選局手段により選局されたチャンネルに対応するテレビジョン放送信号を前記受信手段に受信させる受信制御手段と、
前記受信手段により受信されたテレビジョン放送信号に基づく番組コンテンツを、前記所定の記憶媒体へ録画させる録画制御手段と、
前記受信手段により受信されたテレビジョン放送信号に基づく番組コンテンツを、前記所定の表示装置に表示させる表示制御手段と、
所定の第１タイミングで、前記受信手段により受信されているテレビジョン放送信号のチャンネルに関する情報を元チャンネル情報として記憶手段に記憶させる記憶制御手段と、
所定の第２タイミングで、前記記憶手段に記憶されている元チャンネル情報を消去する消去手段と、
前記受信手段により受信されるテレビジョン放送信号のチャンネルが前記記憶手段に記憶されている元チャンネル情報に基づく元チャンネルから他のチャンネルに切り替わった時点からの経過時間が、予め設定された復帰時間に達したか否かを判定する判定手段と、
ユーザが、録画予約番組コンテンツを指定するための指定手段と、
ユーザが、前記第１タイミングを指示するための指示手段と、を備え、
前記受信制御手段は、前記指定手段により指定された録画予約番組コンテンツの放送開始時間になった場合に、当該録画予約番組コンテンツのチャンネルに対応するテレビジョン放送信号を前記受信手段に受信させ、
前記録画制御手段は、前記受信手段により受信されたテレビジョン放送信号に基づく録画予約番組コンテンツを、前記所定の記憶媒体に録画させ、
前記記憶制御手段は、前記第１タイミングとして、前記受信手段により前記録画予約番組コンテンツのチャンネルに対応するテレビジョン放送信号が受信されるタイミング、又は、前記指示手段により指示されたタイミングで、前記元チャンネル情報を前記記憶手段に記憶させ、
前記受信制御手段は、前記判定手段によって、前記経過時間が、前記復帰時間に達したと判定された場合に、前記記憶手段に記憶されている元チャンネル情報に基づく元チャンネルに対応するテレビジョン放送信号を前記受信手段に受信させ、
前記録画制御手段は、前記受信手段により受信されるテレビジョン放送信号のチャンネルが、前記記憶手段に記憶されている元チャンネル情報に基づく元チャンネルから他のチャンネルに切り替わってから、当該他のチャンネルから当該元チャンネルに復帰するまでの間、前記受信手段により受信されたテレビジョン放送信号に基づく番組コンテンツの前記所定の記憶媒体への録画を中断し、
前記消去手段は、前記第２タイミングとして、前記録画制御手段による、前記記憶手段に記憶されている元チャンネル情報に基づく元チャンネルで放送されている番組コンテンツの前記所定の記憶媒体への録画が終了するタイミングで、当該記憶手段に記憶されている元チャンネル情報を消去することを特徴とする。
【発明の効果】
【００２０】
本発明によれば、テレビジョン放送信号を受信する１つの受信手段を備え、当該受信手段により受信されたテレビジョン放送信号に基づく番組コンテンツを所定の記憶媒体に録画させるとともに、当該受信手段により受信されたテレビジョン放送信号に基づく番組コンテンツを所定の表示装置に表示させる録画装置において、自動復帰手段によって、所定の記憶媒体への番組コンテンツの録画中に、受信手段により受信されるテレビジョン放送信号のチャンネルが元チャンネルから他のチャンネルに切り替わると、当該所定の記憶媒体への番組コンテンツの録画を中断し、その後、当該他のチャンネルに切り替わった時点からの経過時間が予め設定された復帰時間に達すると、受信手段により受信されるテレビジョン放送信号のチャンネルを当該他のチャンネルから当該元チャンネルに復帰させて、当該所定の記憶媒体への番組コンテンツの録画を再開することができる。
すなわち、元チャンネルから他のチャンネルに切り替わると、番組コンテンツの録画を中断し、その後、当該他のチャンネルから当該元チャンネルに復帰させて番組コンテンツの録画を再開することができるため、一のチャンネル（元チャンネル）の番組コンテンツを録画するとともに、他のチャンネルの番組コンテンツを一時的に視聴する際に適している。
【発明を実施するための最良の形態】
【００２１】
以下、図を参照して、本発明にかかる録画装置の最良の形態を詳細に説明する。なお、発明の範囲は、図示例に限定されない。
【００２２】
＜録画装置の構成＞
録画装置１は、例えば、チューナ１１により受信されたテレビジョン放送信号に基づく番組コンテンツを所定の記憶媒体１４に録画させるとともに、チューナ１１により受信されたテレビジョン放送信号に基づく番組コンテンツをテレビジョン受像機３に出力させるようになっている。
具体的には、録画装置１は、例えば、図１に示すように、アンテナ１１ａを有するチューナ１１と、信号復調部１２と、録画制御部１３と、記憶媒体１４と、出力制御部１５と、ＯＳＤ回路１６と、操作部１７と、制御部１８と、などを備えて構成される。
また、録画装置１は、例えば、図１に示すように、出力制御部１５を介して、音声出力部３１や映像表示部３２を有するテレビジョン受像機３と接続している。
【００２３】
ここで、録画装置１は、１つのチューナ１１を備えているため、シングルチューナ搭載型の録画装置である。
また、録画装置１は、例えば、デジタル放送信号を受信可能に構成されている。一方、テレビジョン受像機３は、例えば、デジタル放送信号を受信可能に構成されていない、アナログ放送専用のテレビジョン受像機であるが、録画装置１と接続しているため、録画装置１により受信されたデジタル放送信号に基づく番組コンテンツを出力できるようになっている。
【００２４】
チューナ１１は、制御部１８から入力される制御信号に従って、例えば、受信手段として、ユーザによる操作部１７の操作により選択された一の番組コンテンツに関するテレビジョン放送信号を受信する。
具体的には、チューナ１１は、例えば、アンテナ１１ａにより受信されたテレビジョン放送波（例えば、デジタル方式のテレビジョン放送波）から、ユーザ所望の番組コンテンツのチャンネルに対応する周波数帯域に存在するテレビジョン放送信号を受信して、信号復調部１２に出力する。
【００２５】
信号復調部１２は、制御部１８から入力される制御信号に従って、例えば、チューナ１１から入力されたテレビジョン放送信号に対してデジタル復調や誤り訂正などの所定の処理を施して、トランスポートストリームを録画制御部１３又は出力制御部１５に出力する。
【００２６】
録画制御部１３は、制御部１８から入力される制御信号に従って、例えば、チューナ１１により受信されたテレビジョン放送信号に基づく番組コンテンツを、記憶媒体１４に録画させる。
具体的には、録画制御部１３は、例えば、信号復調部１２から入力されたトランスポートストリームを解読して、当該トランスポートストリームを構成する各トランスポートパケットを判別し、そして、ユーザ所望の番組コンテンツに関連するトランスポートパケットにかかるデータにエンコード等の所定の処理を施して、記憶媒体１４に録画させる。
【００２７】
記憶媒体１４は、例えば、ＨＤＤやＤＶＤなどであり、録画制御部１３によって、チューナ１１により受信されたテレビジョン放送信号に基づく番組コンテンツが録画されるようになっている。
【００２８】
出力制御部１５は、制御部１８から入力される制御信号に従って、例えば、チューナ１１により受信されたテレビジョン放送信号に基づく番組コンテンツを、テレビジョン受像機３に出力させる。
具体的には、出力制御部１５は、例えば、信号復調部１２から入力されたトランスポートストリームを解読して、当該トランスポートストリームを構成する各トランスポートパケットを判別し、そして、ユーザ所望の番組コンテンツに関連するトランスポートパケットにかかるデータを、音声データと、映像データと、などに分離する。そして、当該分離された音声データにデコード等の所定の処理を施して、テレビジョン受像機３が有する音声出力部３１に出力するとともに、当該分離された映像データにデコード等の所定の処理を施して、テレビジョン受像機３が有する映像表示部３２に出力する。
【００２９】
また、出力制御部１５は、制御部１８から入力される制御信号に従って、例えば、記憶媒体１４に記憶された番組コンテンツを、テレビジョン受像機３に出力させる。
【００３０】
ＯＳＤ回路１６は、制御部１８から入力される制御信号に従って、テレビジョン受像機３の映像表示部３２に所定のオンスクリーンディスプレイ（ＯＳＤ）表示をさせるためのＯＳＤ表示信号を、出力制御部１５から映像表示部３２に出力される映像データに合成する。
【００３１】
テレビジョン受像機３が有する音声出力部３１は、例えば、スピーカ機器等であり、例えば、出力制御部１５から出力された音声データに基づく音声を出力する。
【００３２】
テレビジョン受像機３が有する映像表示部３２は、例えば、液晶表示機器等であり、例えば、所定の表示装置として、出力制御部１５から出力された映像データに基づく映像を表示したり、出力制御部１５から出力されてＯＳＤ回路１６によりＯＳＤ表示信号が合成された映像データに基づく映像を表示したりする。
【００３３】
操作部１７は、例えば、録画装置１の外面に設けられた操作キー（図示省略）や、操作キーが設けられた録画装置１用のリモートコントローラ（図示省略）などから構成されており、例えば、ユーザにより操作されると、当該操作に伴う操作信号を制御部１８に出力する。
【００３４】
具体的には、操作部１７は、例えば、選局手段として、ユーザが、一のチャンネルを選局する際に操作される。
より具体的には、操作部１７には、例えば、「数字キー」などが設けられており、ユーザは、例えば、この「数字キー」を操作して、所望の番組コンテンツのチャンネル番号を押下することによって、チャンネルを選局する。
【００３５】
また、操作部１７は、例えば、指定手段として、ユーザが、録画予約番組コンテンツを指定する際に操作される。
より具体的には、テレビジョン受像機３の映像表示部３２には、例えば、ＯＳＤ回路１６によって、電子番組案内（ＥＰＧ）画面がＯＳＤ表示されるようになっており、ユーザは、例えば、このＥＰＧ画面において、操作部１７を操作して録画予約番組コンテンツを指定するとともに、この録画予約番組コンテンツの録画中に録画装置１の動作モードを元チャンネル復帰モードにするか否かを選択できるようになっている。
【００３６】
元チャンネル復帰モードとは、例えば、録画装置１の動作モードの１つであり、例えば、記憶媒体１４への番組コンテンツの録画中に、チューナ１１により受信されるテレビジョン放送信号のチャンネルが元チャンネルから他のチャンネルに切り替わると、記憶媒体１４への番組コンテンツの録画を中断し、その後、当該他のチャンネルに切り替わった時点からの経過時間が予め設定された復帰時間に達すると、チューナ１１により受信されるテレビジョン放送信号のチャンネルを当該他のチャンネルから当該元チャンネルに自動復帰させて、記憶媒体１４への番組コンテンツの録画を再開するモードである。
【００３７】
また、操作部１７は、例えば、指示手段として、ユーザが、第１タイミングを指示する際に操作される。
より具体的には、操作部１７には、例えば、「元チャンネル復帰モードキー」などが備えられており、ユーザは、例えば、録画予約番組コンテンツの指定の際に、録画装置１の動作モードを元チャンネル復帰モードにしないよう選択した場合に、又は、録画中の番組コンテンツが録画予約された番組コンテンツでない場合に、この「元チャンネル復帰モードキー」を押下することによって、第１タイミングを指示する。
ここで、第１タイミングとは、例えば、元チャンネル復帰モードを開始するタイミングである。
【００３８】
また、操作部１７は、例えば、ユーザが、復帰時間を設定する際に操作される。
ここで、復帰時間とは、例えば、チューナ１１により受信されるテレビジョン放送信号のチャンネルが元チャンネルから他のチャンネルに切り替わった時点から、チューナ１１により受信されるテレビジョン放送信号のチャンネルを当該他のチャンネルから当該元チャンネルに自動復帰させる時点までの時間である。
より具体的には、テレビジョン受像機３の映像表示部３２には、例えば、ＯＳＤ回路１６によって、所定のメニュー画面がＯＳＤ表示されるようになっており、ユーザは、例えば、この所定のメニュー画面において、操作部１７を操作して復帰時間を設定するようになっている。
【００３９】
制御部１８は、例えば、図１に示すように、ＣＰＵ（Central Processing Unit）１８１と、ＲＡＭ（Random Access Memory）１８２と、記憶部１８３と、計時部１８４と、などを備えている。
【００４０】
ＣＰＵ１８１は、例えば、記憶部１８３に記憶された録画装置１用の各種処理プログラムに従って各種の制御動作を行う。
【００４１】
ＲＡＭ１８２は、例えば、ＣＰＵ１８１によって実行される処理プログラムなどを展開するためのプログラム格納領域や、入力データや上記処理プログラムが実行される際に生じる処理結果などを格納するデータ格納領域などを備える。
【００４２】
記憶部１８３は、例えば、録画装置１で実行可能なシステムプログラム、当該システムプログラムで実行可能な各種処理プログラム、これら各種処理プログラムを実行する際に使用されるデータ、ＣＰＵ１８１によって演算処理された処理結果のデータなどを記憶する。なお、プログラムは、コンピュータが読み取り可能なプログラムコードの形で記憶部１８３に記憶されている。
【００４３】
具体的には、記憶部１８３は、例えば、図１に示すように、元チャンネル情報記憶ファイル１８３ａ２と、記憶制御プログラム１８３ｂ１と、消去プログラム１８３ｂ２と、判定プログラム１８３ｂ３と、受信制御プログラム１８３ｂ４と、録画制御プログラム１８３ｂ５と、出力制御プログラム１８３ｂ６と、ＯＳＤ表示制御プログラム１８３ｂ７と、などを記憶している。
【００４４】
元チャンネル情報記憶ファイル１８３ａ２は、例えば、記憶手段として、元チャンネル情報を記憶する。
ここで、元チャンネル情報は、例えば、チューナ１１により受信されているテレビジョン放送信号のチャンネルに関する情報であり、例えば、チャンネル番号等である。
【００４５】
記憶制御プログラム１８３ｂ１は、例えば、所定のタイミング（所定の第１タイミング）で、チューナ１１により受信されているテレビジョン放送信号のチャンネルに関する情報を元チャンネル情報として元チャンネル情報記憶ファイル１８３ａ１に記憶させる機能を、ＣＰＵ１８１に実現させる。
ここで、元チャンネル情報記憶ファイル１８３ａ１に元チャンネル情報が記憶されることによって、録画装置１の動作モードは、元チャンネル復帰モード以外の所定の動作モード（例えば、通常動作モード）から、元チャンネル復帰モードに切り替わるようになっている。
【００４６】
具体的には、ＣＰＵ１８１は、例えば、録画予約番組コンテンツの指定の際に、録画装置１の動作モードを元チャンネル復帰モードにするよう選択された場合に、第１タイミングとして、チューナ１１により録画予約番組コンテンツのチャンネルに対応するテレビジョン放送信号が受信されるタイミングで、元チャンネル情報を元チャンネル情報記憶ファイル１８３ａ１に記憶させる。
【００４７】
また、ＣＰＵ１８１は、例えば、録画予約番組コンテンツの指定の際に、録画装置１の動作モードを元チャンネル復帰モードにしないよう選択された場合に、又は、録画中の番組コンテンツが録画予約された番組コンテンツでない場合に、第１タイミングとして、ユーザによる操作部１８により指示されたタイミングで、すなわち、ユーザが「元チャンネル復帰モードキー」を押下するタイミングで、元チャンネル情報を元チャンネル情報記憶ファイル１８３ａ１に記憶させる。
ＣＰＵ１８１は、かかる記憶制御プログラム１８３ｂ１を実行することによって、記憶制御手段として機能する。
【００４８】
消去プログラム１８３ｂ２は、例えば、所定の第２タイミングで、元チャンネル情報記憶ファイル１８３ａ１に記憶されている元チャンネル情報を消去する機能を、ＣＰＵ１８１に実現させる。
ここで、第２タイミングとは、例えば、元チャンネル復帰モードを終了するタイミングである。
すなわち、元チャンネル情報記憶ファイル１８３ａ１に記憶されている元チャンネル情報が消去されることによって、録画装置１の動作モードは、元チャンネル復帰モードから、元チャンネル復帰モード以外の所定の動作モード（例えば、通常動作モード）に切り替わるようになっている。
【００４９】
具体的には、ＣＰＵ１８１は、例えば、第２タイミングとして、録画制御プログラム１８３ｂ５を実行したＣＰＵ１８１による、元チャンネル情報記憶ファイル１８３ａ１に記憶されている元チャンネル情報に基づく元チャンネルで放送されている番組コンテンツの記憶媒体１４への録画が終了するタイミングで、元チャンネル情報記憶ファイル１８３ａ１に記憶されている元チャンネル情報を消去する。
なお、第２タイミングは、番組コンテンツの録画が終了したタイミングに限ることはなく、例えば、ユーザによる操作部１７の操作により指示されたタイミング等であってもよい。
ＣＰＵ１８１は、かかる消去プログラム１８３ｂ２を実行することによって、消去手段として機能する。
【００５０】
判定プログラム１８３ｂ３は、例えば、チューナ１１により受信されるテレビジョン放送信号のチャンネルが元チャンネル情報記憶ファイル１８３ａ１に記憶されている元チャンネル情報に基づく元チャンネルから他のチャンネルに切り替わった時点からの経過時間が、予め設定された復帰時間に達したか否かを判定する機能を、ＣＰＵ１８１に実現させる。
ＣＰＵ１８１は、かかる判定プログラム１８３ｂ３を実行することによって、判定手段として機能する。
【００５１】
受信制御プログラム１８３ｂ４は、例えば、ユーザによる操作部１７の操作により選局されたチャンネルに対応するテレビジョン放送信号をチューナ１１に受信させる機能を、ＣＰＵ１８１に実現させる。
【００５２】
また、受信制御プログラム１８３ｂ４は、例えば、判定プログラム１８３ｂ３を実行したＣＰＵ１８１によって、チューナ１１により受信されるテレビジョン放送信号のチャンネルが元チャンネル情報記憶ファイル１８３ａ１に記憶されている元チャンネル情報に基づく元チャンネルから他のチャンネルに切り替わった時点からの経過時間が、復帰時間に達したと判定された場合に、当該元チャンネルに対応するテレビジョン放送信号をチューナ１１に受信させる機能を、ＣＰＵ１８１に実現させる。
【００５３】
また、受信制御プログラム１８３ｂ４は、例えば、ユーザによる操作部１７の操作により指定された録画予約番組コンテンツの放送開始時間になった場合に、当該録画予約番組コンテンツのチャンネルに対応するテレビジョン放送信号をチューナ１１に受信させる機能を、ＣＰＵ１８１に実現させる。
ＣＰＵ１８１は、かかる受信制御プログラム１８３ｂ４を実行することによって、受信制御手段として機能する。
【００５４】
録画制御プログラム１８３ｂ５は、例えば、信号復調部１２や録画制御部１３に制御信号を入力して、チューナ１１により受信されたテレビジョン放送信号に基づく番組コンテンツを、記憶媒体１４に録画させる機能を、ＣＰＵ１８１に実現させる。
ここで、ＣＰＵ１８１は、例えば、チューナ１１により受信されるテレビジョン放送信号のチャンネルが、元チャンネル情報記憶ファイル１８３ａ１に記憶されている元チャンネル情報に基づく元チャンネルから他のチャンネルに切り替わってから、当該他のチャンネルから当該元チャンネルに復帰するまでの間、チューナ１１により受信されたテレビジョン放送信号に基づく番組コンテンツの記憶媒体１４への録画を中断するようになっている。
【００５５】
具体的には、ＣＰＵ１８１は、例えば、ユーザによる操作部１７の操作によって、ユーザによる操作部１７の操作により選局されたチャンネルに対応するテレビジョン放送信号に基づく番組コンテンツを録画するよう指示された場合には、チューナ１１により受信された当該選局されたチャンネルに対応するテレビジョン放送信号に基づく番組コンテンツを、記憶媒体１４に録画させる。
また、ＣＰＵ１８１は、ユーザによる操作部１８の操作により録画予約番組コンテンツが指定された場合には、チューナ１１により受信されたテレビジョン放送信号に基づく録画予約番組コンテンツを、記憶媒体１４に録画させる。
ＣＰＵ１８１は、かかる録画制御プログラム１８３ａ５を実行することによって、録画制御手段として機能する。
【００５６】
出力制御プログラム１８３ｂ６は、例えば、信号復調部１２や出力制御部１５に制御信号を入力して、チューナ１１により受信されたテレビジョン放送信号に基づく番組コンテンツを、テレビジョン受像機３に出力させる機能を、ＣＰＵ１８１に実現させる。
【００５７】
具体的には、ＣＰＵ１８１は、信号復調部１２や出力制御部１５に制御信号を入力して、番組コンテンツのうちの音声データを、テレビジョン受像機３の音声出力部３１に出力させるとともに、番組コンテンツのうちの映像データを、テレビジョン受像機３の映像表示部３２に表示させる。
ＣＰＵ１８１は、かかる出力制御プログラム１８３ｂ６を実行することによって、表示制御手段として機能する。
【００５８】
ＯＳＤ表示制御プログラム１８３ｂ７は、例えば、ＯＳＤ回路１６に制御信号を入力して、テレビジョン受像機３の映像表示部３２に所定のオンスクリーンディスプレイ（ＯＳＤ）表示をさせるためのＯＳＤ表示信号を、出力制御部１５から映像表示部３２に出力される映像データに合成させる機能を、ＣＰＵ１８１に実現させる。
【００５９】
具体的には、ＣＰＵ１８１は、例えば、ＯＳＤ回路１６に制御信号を入力して、ＥＰＧ画面や所定のメニュー画面などを、映像表示部３２にＯＳＤ表示させる。
【００６０】
また、ＣＰＵ１８１は、例えば、ＯＳＤ回路１６に制御信号を入力して、記憶媒体１４に記憶されている番組コンテンツについての録画された時間と録画が中断された時間とに関する時間情報Ｄ２を含む録画状況情報としての「録画状況画面」を、映像表示部３２にＯＳＤ表示させる。
より具体的には、ＣＰＵ１８１は、例えば、図２に示すような、「録画状況画面」を映像表示部３２にＯＳＤ表示させる。
【００６１】
「録画状況画面」には、例えば、記憶媒体１４に記憶されている番組コンテンツに関する番組コンテンツ情報Ｄ１と、記憶媒体１４に記憶されている一の番組コンテンツについての録画された時間と録画が中断された時間とに関する時間情報Ｄ２と、などが表示されるようになっている。
【００６２】
番組コンテンツ情報Ｄ１として、例えば、記憶媒体１４に記憶されている番組コンテンツの録画日時、チャンネル番号、放送局、番組名、中断の有無などが表示される。番組名などが判明していない場合には、「不明」と表示されるようになっている。
【００６３】
時間情報Ｄ２としては、例えば、番組コンテンツ情報Ｄ１においてフォーカスＦが合っている番組コンテンツ（図２においては、番組名「ああああ」の番組コンテンツ）についての録画された時間と録画が中断された時間とが示されたタイムチャート等が表示される。フォーカスＦは、ユーザによる操作部１７の操作により移動可能となっている。
このタイムチャートでは、録画開始時間、録画中断開始時間、録画再開時間、録画終了時間、などが示される。
なお、図２においては、録画開始時間として録画開始時刻が、録画中断開始時間として録画中断開始時刻が、録画再開時間として録画再開時刻が、録画終了時間として録画終了時刻が示されているが、当該示される時間は、録画開始からの経過時間であってもよい。また、当該示される時間は、正確でなくてもよく、大まかな時間であってもよい。
【００６４】
そして、「録画状況画面」において、例えば、ユーザにより操作部１７に設けられた「再生キー」等が押下されると、フォーカスＦが合っている番組コンテンツの再生が開始されてテレビジョン受像機３に出力されるようになっている。
ＣＰＵ１８１は、かかるＯＳＤ表示制御プログラム１８３ｂ７を実行することによって、第２表示制御手段として機能する。
【００６５】
ここで、記憶媒体１４への番組コンテンツの録画中に、チューナ１１により受信されるテレビジョン放送信号のチャンネルが元チャンネルから他のチャンネルに切り替わると、記憶媒体１４への番組コンテンツの録画を中断し、その後、当該他のチャンネルに切り替わった時点からの経過時間が予め設定された復帰時間に達すると、チューナ１１により受信されるテレビジョン放送信号のチャンネルを当該他のチャンネルから当該元チャンネルに復帰させて、記憶媒体１４への番組コンテンツの録画を再開する自動復帰手段は、記憶制御プログラム１８３ｂ１を実行したＣＰＵ１８１と、判定プログラム１８３ｂ３を実行したＣＰＵ１８１と、受信制御プログラム１８３ｂ４を実行したＣＰＵ１８１と、録画制御プログラム１８３ｂ５を実行したＣＰＵ１８１と、出力制御プログラム１８３ｂ６を実行したＣＰＵ１８１と、により構成される。
【００６６】
計時部１８４は、ＣＰＵ１８１から入力される制御信号に従って、所与の計時処理を行って、当該計時結果をＣＰＵ１８１に出力する。
【００６７】
［チャンネル復帰処理］
録画装置１による元チャンネルへの復帰に関する処理について、図３のフローチャートを参照して説明する。
【００６８】
まず、ＣＰＵ１８１は、第１タイミングになったか否かを判断する（ステップＳ１）。
具体的には、ＣＰＵ１９１は、チューナ１１により録画予約番組コンテンツのチャンネルに対応するテレビジョン放送信号が受信されたか否かを判断する。
或いは、ユーザによる操作部１７の操作により「元チャンネル復帰モードキー」が押下されたか否かを判断する。
【００６９】
ステップＳ１で、第１タイミングになっていないと判断すると（ステップＳ１；Ｎｏ）、ＣＰＵ１８１は、ステップＳ１の処理を繰り返して行う。
【００７０】
一方、ステップＳ１で、第１タイミングになったと判断すると（ステップＳ１；Ｙｅｓ）、ＣＰＵ１８１は、記憶制御プログラム１８３ｂ１を実行して、チューナ１１により受信されているテレビジョン放送信号のチャンネルに関する情報を元チャンネル情報として元チャンネル情報記憶ファイル１８３ａ１に記憶させる（ステップＳ２）。これにより、録画装置１の動作モードが、元チャンネル復帰モードに切り替わる。
【００７１】
次いで、ＣＰＵ１８１は、チューナ１１により受信されるテレビジョン放送信号のチャンネルが、元チャンネル情報記憶ファイル１８３ａ１に記憶されている元チャンネル情報に基づく元チャンネルから他のチャンネルに切り替わったか否かを判断する（ステップＳ３）。
【００７２】
ステップＳ３で、チューナ１１により受信されるテレビジョン放送信号のチャンネルが、元チャンネルから他のチャンネルに切り替わっていないと判断すると（ステップＳ３；Ｎｏ）、ＣＰＵ１８１は、第２タイミングになったか否か、すなわち、元チャンネルで放送されている番組コンテンツの記憶媒体１４への録画が終了したか否かを判断する（ステップＳ４）。
【００７３】
ステップＳ４で、第２タイミングになっていない（元チャンネルで放送されている番組コンテンツの記憶媒体１４への録画が終了していない）と判断すると（ステップＳ４；Ｎｏ）、ＣＰＵ１８１は、ステップＳ３以降の処理を繰り返して行う。
【００７４】
一方、ステップＳ４で、第２タイミングになった（元チャンネルで放送されている番組コンテンツの記憶媒体１４への録画が終了した）と判断すると（ステップＳ４；Ｙｅｓ）、ＣＰＵ１８１は、消去プログラム１８３ｂ２を実行して、元チャンネル情報記憶ファイル１８３ａ１に記憶されている元チャンネル情報を消去して（ステップＳ５）、ステップＳ１以降の処理を繰り返して行う。これにより、元チャンネル復帰モードが解除されて、録画装置１の動作モードが、元チャンネル復帰モード以外の動作モード（例えば、通常動作モード）に切り替わる。
【００７５】
また、ステップＳ３で、チューナ１１により受信されるテレビジョン放送信号のチャンネルが、元チャンネルから他のチャンネルに切り替わったと判断すると（ステップＳ３；Ｙｅｓ）、ＣＰＵ１８１は、録画制御プログラム１８３ｂ５を実行して、番組コンテンツの記憶媒体１４への録画を中断する（ステップＳ６）。
【００７６】
次いで、ＣＰＵ１８１は、判定プログラム１８３ｂ３を実行して、計時部１８４からの計時結果に基づいて、当該他のチャンネルに切り替わった時点からの経過時間が、予め設定された復帰時間に達したか否かを判定する（ステップＳ７）。
【００７７】
ステップＳ７で、当該他のチャンネルに切り替わった時点からの経過時間が、予め設定された復帰時間に達したと判断すると（ステップＳ７；Ｙｅｓ）、ＣＰＵ１９１は、受信制御プログラム１８３ｂ４を実行して、元チャンネルに対応するテレビジョン放送信号をチューナ１１に受信させることによって、元チャンネルに復帰させて（ステップＳ８）、録画制御プログラム１８３ｂ５を実行して、番組コンテンツの記憶媒体１４への録画を再開して（ステップＳ９）、ステップＳ３以降の処理を繰り返して行う。
【００７８】
一方、ステップＳ７で、当該他のチャンネルに切り替わった時点からの経過時間が、予め設定された復帰時間に達していないと判断すると（ステップＳ７；Ｎｏ）、ＣＰＵ１８１は、第２タイミングになったか否か、すなわち、元チャンネルで放送されている番組コンテンツの記憶媒体１４への録画が終了したか否かを判断する（ステップＳ１０）。
【００７９】
ステップＳ１０で、第２タイミングになっていない（元チャンネルで放送されている番組コンテンツの記憶媒体１４への録画が終了していない）と判断すると（ステップＳ１０；Ｎｏ）、ＣＰＵ１８１は、ステップＳ７以降の処理を繰り返して行う。
【００８０】
一方、ステップＳ１０で、第２タイミングになった（元チャンネルで放送されている番組コンテンツの記憶媒体１４への録画が終了した）と判断すると（ステップＳ１０；Ｙｅｓ）、ＣＰＵ１８１は、消去プログラム１８３ｂ２を実行して、元チャンネル情報記憶ファイル１８３ａ１に記憶されている元チャンネル情報を消去して（ステップＳ１１）、ステップＳ１以降の処理を繰り返して行う。これにより、元チャンネル復帰モードが解除されて、録画装置１の動作モードが、元チャンネル復帰モード以外の動作モード（例えば、通常動作モード）に切り替わる。
【００８１】
以上説明した本発明の録画装置１によれば、ユーザが、一のチャンネルを選局するための操作部１７と、ユーザによる操作部１７の操作により選局されたチャンネルに対応するテレビジョン放送信号をチューナ１１に受信させる受信制御プログラム１８３ｂ４を実行したＣＰＵ１８１と、チューナ１１により受信されたテレビジョン放送信号に基づく番組コンテンツを、記憶媒体１４に録画させる録画制御プログラム１８３ｂ５を実行したＣＰＵ１８１と、チューナ１１により受信されたテレビジョン放送信号に基づく番組コンテンツを、テレビジョン受像機３に出力させる出力制御プログラム１８３ｂ６を実行したＣＰＵ１８１と、所定のタイミング（所定の第１タイミング）で、チューナ１１により受信されているテレビジョン放送信号のチャンネルに関する情報を元チャンネル情報として元チャンネル情報記憶ファイル１８３ａ１に記憶させる記憶制御プログラム１８３ｂ１を実行したＣＰＵ１８１と、チューナ１１により受信されるテレビジョン放送信号のチャンネルが元チャンネル情報記憶ファイル１８３ａ１に記憶されている元チャンネル情報に基づく元チャンネルから他のチャンネルに切り替わった時点からの経過時間が、予め設定された復帰時間に達したか否かを判定する判定プログラム１８３ｂ３を実行したＣＰＵ１８１と、を備え、そして、受信制御プログラム１８３ｂ４を実行したＣＰＵ１８１は、判定プログラム１８３ｂ３を実行したＣＰＵ１８１によって、チューナ１１により受信されるテレビジョン放送信号のチャンネルが元チャンネル情報記憶ファイル１８３ａ１に記憶されている元チャンネル情報に基づく元チャンネルから他のチャンネルに切り替わった時点からの経過時間が、復帰時間に達したと判定された場合に、当該元チャンネルに対応するテレビジョン放送信号をチューナ１１に受信させることができ、録画制御プログラム１８３ｂ５を実行したＣＰＵ１８１は、チューナ１１により受信されるテレビジョン放送信号のチャンネルが、元チャンネル情報記憶ファイル１８３ａ１に記憶されている元チャンネル情報に基づく元チャンネルから他のチャンネルに切り替わってから、当該他のチャンネルから当該元チャンネルに復帰するまでの間、チューナ１１により受信されたテレビジョン放送信号に基づく番組コンテンツの記憶媒体１４への録画を中断することができる。
すなわち、元チャンネルから他のチャンネルに切り替わると、番組コンテンツの録画を中断し、その後、当該他のチャンネルから当該元チャンネルに復帰させて番組コンテンツの録画を再開することができるため、一のチャンネル（元チャンネル）の番組コンテンツを録画するとともに、他のチャンネルの番組コンテンツを一時的に視聴する際に適している。
【００８２】
また、録画装置１によれば、ユーザによる操作部１７の操作によって、録画予約番組コンテンツを指定することができ、そして、受信制御プログラム１８３ｂ４を実行したＣＰＵ１８１は、ユーザによる操作部１７の操作により指定された録画予約番組コンテンツの放送開始時間になった場合に、当該録画予約番組コンテンツのチャンネルに対応するテレビジョン放送信号をチューナ１１に受信させることができ、録画制御プログラム１８３ｂ５を実行したＣＰＵ１８１は、チューナ１１により受信されたテレビジョン放送信号に基づく録画予約番組コンテンツを、記憶媒体１４に録画させることができ、記憶制御プログラム１８３ｂ１は、第１タイミングとして、チューナ１１により録画予約番組コンテンツのチャンネルに対応するテレビジョン放送信号が受信されるタイミングで元チャンネル情報を元チャンネル情報記憶ファイル１８３ａ１に記憶させることができる。
すなわち、録画予約番組の録画が開始されたタイミングで、元チャンネル復帰モードになるため、ユーザにとって使い勝手がよい。
【００８３】
また、録画装置１によれば、ユーザによる操作部１７の操作によって、第１タイミングを指示することができ、そして、記憶制御プログラム１８３ｂ１を実行したＣＰＵ１８１は、第１タイミングとして、ユーザによる操作部１７の操作により指示されたタイミングで、元チャンネル情報を元チャンネル情報記憶ファイル１８３ａ１に記憶させることができる。
すなわち、ユーザ所望のタイミングで、元チャンネル復帰モードになるため、ユーザにとって使い勝手がよい。
【００８４】
また、録画装置１によれば、消去プログラム１８３ｂ２を実行したＣＰＵ１８１によって、所定の第２タイミングで、元チャンネル情報記憶ファイルに記憶されている元チャンネル情報を消去することができる。
すなわち、所定の第２タイミングで、自動的に元チャンネル復帰モードが解除されるため、ユーザにとって使い勝手がよい。
【００８５】
また、録画装置１によれば、消去プログラム１８３ｂ２を実行したＣＰＵ１８１は、第２タイミングとして、録画制御プログラム１８３ｂ５を実行したＣＰＵ１８１による、元チャンネル情報記憶ファイル１８３ａ１に記憶されている元チャンネル情報に基づく元チャンネルで放送されている番組コンテンツの記憶媒体１４への録画が終了するタイミングで、元チャンネル情報記憶ファイル１８３ａ１に記憶されている元チャンネル情報を消去することができる。
すなわち、番組の録画が終了すると、自動的に元チャンネル復帰モードを解除することができるため、ユーザにとって使い勝手がよい。
特に、ユーザ所望の番組の放送終了時間が過ぎた後に、そのユーザ所望の番組が放送されていた元チャンネルに自動復帰してしまうことを防止することができることとなって、ユーザにとって使い勝手がよい。
【００８６】
また、録画装置１によれば、ＯＳＤ表示制御プログラム１８３ｂ７を実行したＣＰＵ１８１によって、記憶媒体１４に記憶されている番組コンテンツについての録画された時間と録画が中断された時間とに関する時間情報を含む録画状況情報を、テレビジョン受像機３の映像表示部３２に表示させることができる。
したがって、ユーザは、記憶媒体１４に記憶されている番組コンテンツについての録画された時間と録画が中断された時間とを確認することができるため、利便性が高い。
【００８７】
なお、本発明は、上記した実施の形態のものに限るものではなく、その要旨を逸脱しない範囲で適宜変更可能である。
【００８８】
録画装置１とテレビジョン受像機３は、一体であってもよい。
【００８９】
録画装置１による元チャンネルへの復帰に関する処理（図２）において、他のチャンネル（第１チャンネル）に切り替わった後、さらに他のチャンネル（第２チャンネル）に切り替わった場合であっても、他のチャンネルに切り替わった時点からの経過時間を更新することなく、当該経過時間が復帰時間に達するまで（或いは第２タイミングになるまで）カウントするようにしたが、例えば、他のチャンネル（第１チャンネル）に切り替わった後、さらに他のチャンネル（第２チャンネル）に切り替わると、他のチャンネルに切り替わった時点からの経過時間を更新して、改めて復帰時間に達するまでカウントするようにしてもよい。
【図面の簡単な説明】
【００９０】
【図１】本発明にかかる録画装置の機能的構成を示すブロック図である。
【図２】テレビジョン受像機の映像表示部に表示された「録画状況画面」の一例を示す図である。
【図３】録画装置による元チャンネルへの復帰に関する処理を説明するためのフローチャートである。
【符号の説明】
【００９１】
１  録画装置
１１  チューナ（受信手段）
１４  記憶媒体
１７  操作部（選局手段、指定手段、指示手段）
３２  映像表示部（表示装置）
１８１  ＣＰＵ（自動復帰手段、記憶制御手段、消去手段、判定手段、受信制御手段、録画制御手段、表示制御手段、第２表示制御手段）
１８３ａ１  元チャンネル情報記憶ファイル（記憶手段）
１８３ｂ１  記憶制御プログラム（自動復帰手段、記憶制御手段）
１８３ｂ２  消去プログラム（消去手段）
１８３ｂ３  判定プログラム（自動復帰手段、判定手段）
１８３ｂ４  受信制御プログラム（自動復帰手段、受信制御手段）
１８３ｂ５  録画制御プログラム（自動復帰手段、録画制御手段）
１８３ｂ６  出力制御プログラム（自動復帰手段、表示制御手段）
１８３ｂ７  ＯＳＤ表示制御プログラム（第２表示制御手段）
【図１】
2008311835.tif 000003
【図２】
2008311835.tif 000004
【図３】
2008311835.tif 000005